(57)【要約】【課題】  種類の異なる壁面パネルであっても連結可能な壁面パネル連結構造を提供する。【解決手段】  パネル材１で折曲形成した突条部２を有する第一壁面パネルＷ１と、中空角柱３を有する第二壁面パネルＷ２と、が連結される壁面パネル連結構造であり、突条部２を受容する凹溝４を有して第一壁面パネルＷ１の側端部裏面に添設されるパネル取付基材５と、パネル取付基材５と突条部２及びこれを折曲形成するための折曲形成基部６とを挟装して一体化する支持具７と、を備え、支持具７及びパネル取付基材５に連貫通する第一壁面パネル側孔８が形成されると共に中空角柱３に第二壁面パネル側孔９が貫通形成され、両孔８、９に連挿通されるボルト１０にナット１１を螺合して締め付けることにより、両壁面パネルＷ１、Ｗ２が連結されるようにした。【選択図】図１
2006299775.tif 000002
【特許請求の範囲】
【請求項１】
側端部の裏面側にパネル材の折曲により形成された縦方向の突条部を有する第一壁面パネルと、側端部の裏面側に一体化された縦方向の中空角柱を有する第二壁面パネルと、が連結される壁面パネル連結構造であって、前記突条部を受容する凹溝を有して前記第一壁面パネルの側端部裏面に添設されるパネル取付基材と、このパネル取付基材と前記突条部及びこの突条部を折曲形成するためにパネル材を裏面側へ略直角に折り曲げた折曲形成基部とを挟装して一体化する支持具と、を備え、同支持具及びパネル取付基材に連貫通する第一壁面パネル側孔が形成されると共に前記中空角柱に第二壁面パネル側孔が貫通形成され、同第一壁面パネル側孔と第二壁面パネル側孔とに連挿通されるボルトにナットを螺合して締め付けることにより、前記第一壁面パネルと前記第二壁面パネルとが連結される壁面パネル連結構造。
【請求項２】
支持具を断面略コ字状の型材で形成して、この型材の両側片部でパネル取付基材と突条部及び折曲形成基部とが挟持されることを特徴とする請求項１記載の壁面パネル連結構造。
【請求項３】
支持具の両側片部を貫通するように第一壁面パネル側孔を形成したことを特徴とする請求項２記載の壁面パネル連結構造。
【請求項４】
突条部を折曲により断面略山型に形成し、凹溝を同断面略山型と適合する断面略Ｖ字状に形成したことを特徴とする請求項１〜３のいずれか一つに記載の壁面パネル連結構造。
【発明の詳細な説明】
【技術分野】
【０００１】  本願発明は、バスルームユニット、シャワールームユニット等において、異なった種類の壁面パネルが連結される壁面パネル連結構造に関するものである。
【背景技術】
【０００２】  従来のバスルームユニットは、一種類の壁面パネルを複数枚連結して構成され、隣接する壁面パネル間は壁面パネル用の連結用部材で連結固定されていた。特許文献１は、同一種類の壁面パネル同士を相互に連結する連結構造の一例を示すものである。又、図４（ａ）（ｂ）は、従来の壁面パネル連結構造の他例を示す説明図である。以下、図４（ａ）（ｂ）により従来の壁面パネル連結構造について説明する。【０００３】  図４（ａ）は、金属基材の表面を樹脂シートで覆った壁面パネル（以下、第一壁面パネルという）１００同士のコーナー部での連結状態を室内側から見た要部の斜視図である。本例の第一壁面パネル１００は、その側端部に延出される表面化粧板としての上記金属基材を裏面側に直角に折曲し、更に折り返して他側端部側に向くよう形成された縦方向の山形突条部からなる連結部１０１を備えている。そして、コーナー部では、隣接する両第一壁面パネル１００の連結部１０１に、鈎形に折曲形成された一対の係止片２０１を有する連結用ジョイナー２００でスナップ式に抱え込むようにして装着することにより、両第一壁面パネル１００がコーナー連結される。図例では、連結用ジョイナー２００を背後から圧嵌めするようにしている。【０００４】  また、図４（ｂ）は、基材をセメント板とした壁面パネル（以下、第二壁面パネルという）３００同士のコーナー部での連結状態を室外側から見た要部の斜視図である。各第二壁面パネル３００は、その側端部裏面に固着一体化された縦方向の中空角柱３０１を備えており、断面Ｌ字形のジョイナー４００をコーナー部の両第二壁面パネル３００の中空角柱３０１にねじ４０１にて止着することにより、両第二壁面パネル３００がコーナー連結される。この場合、ねじ４０１による止着の他に、だるま孔と突起との契合により中空角柱３０１とジョイナー４００との連結がなされることもある。
【特許文献１】特開２００３−２７６３３号公報
【発明の開示】
【発明が解決しようとする課題】
【０００５】  ところで、バスルームユニットでは、上記のように同種の壁面パネルを全壁面に配置することが一般的ではあるが、近年、各種ユニットにおける壁面を設置場所等の条件に応じて、上記第一壁面パネル１００や第二壁面パネル３００のように異なる種類のものを組み合わせ構築することが望まれるようになった。しかしながら、上記のようなジョイナー２００、４００は一種類の壁面パネル同士を連結するようにしか構成されておらず、上記要望に応えることができないものであった。【０００６】  本願発明は、このような事情に鑑みてなされたもので、その目的は、例えば、金属、非金属の二種類の壁面パネルであっても、その連結を可能とする壁面パネル連結構造を提供することにある。
【課題を解決するための手段】
【０００７】  上記課題を解決するために、本願発明の壁面パネル連結構造は、側端部の裏面側にパネル材の折曲により形成された縦方向の突条部を有する第一壁面パネルと、側端部の裏面側に一体化された縦方向の中空角柱を有する第二壁面パネルと、が連結されるものであって、前記突条部を受容する凹溝を有して前記第一壁面パネルの側端部裏面に添設されるパネル取付基材と、このパネル取付基材と前記突条部及びこの突条部を折曲形成するためにパネル材を裏面側へ略直角に折り曲げた折曲形成基部とを挟装して一体化する支持具と、を備え、同支持具及びパネル取付基材に連貫通する第一壁面パネル側孔が形成されると共に前記中空角柱に第二壁面パネル側孔が貫通形成され、同第一壁面パネル側孔と第二壁面パネル側孔とに連挿通されるボルトにナットを螺合して締め付けることにより、前記第一壁面パネルと前記第二壁面パネルとが連結されるものである。
【発明の効果】
【０００８】  本願発明の壁面パネル連結構造においては、第一壁面パネルと第二壁面パネルとが連結されるものであって、第一壁面パネルは折曲加工が可能な、例えば、金属板のようなパネル材でなり、側端部の裏面側に一体化された縦方向の中空角柱を有する第二壁面パネルとは異なる種類のものであり、パネル取付基材及び支持具を介して異なる種類の同第一壁面パネルと第二壁面パネルとが簡単且つ確実に連結されるものである。【０００９】  すなわち、凹溝を突条部に係合させ相互に位置決めしてパネル取付基材を第一壁面パネルの側端部裏面に添設させることができ、このパネル取付基材と突条部及びこれを折曲形成するためにパネル材を裏面側へ略直角に折り曲げた折曲形成基部とに支持具を挟装させてやると、これ等が容易に一体化され、同支持具及びパネル取付基材には第一壁面パネル側孔が連貫通されており、前記中空角柱には第二壁面パネル側孔が貫通形成されていて、同第一壁面パネル側孔と第二壁面パネル側孔とにボルトを連挿通させ、このボルトにナットを螺合して締め付けることによって、異なる種類の第一壁面パネルと第二壁面パネルとを簡単且つ確実に連結することができるのである。
【発明を実施するための最良の形態】
【００１０】  図１〜３は、本願の請求項１〜４全てに対応した一実施形態である壁面パネル連結構造を示している。この実施形態の壁面パネル連結構造では、側端部の裏面側にパネル材１の折曲により形成された縦方向の突条部２を有する第一壁面パネルＷ１と、側端部の裏面側に一体化された縦方向の中空角柱３を有する第二壁面パネルＷ２と、が連結される。ここで、第一壁面パネルＷ１と第二壁面パネルＷ２とは相互に異なる種類のものである。【００１１】  そして、前記突条部２を受容する凹溝４を有して前記第一壁面パネルＷ１の側端部裏面に添設されるパネル取付基材５と、このパネル取付基材５と前記突条部２及びこの突条部２を折曲形成するためにパネル材１を裏面側へ略直角に折り曲げた折曲形成基部６とを挟装して一体化する支持具７と、を備え、同支持具７及びパネル取付基材５に連貫通する第一壁面パネル側孔８が形成されると共に前記中空角柱３に第二壁面パネル側孔９が貫通形成され、同第一壁面パネル側孔８と第二壁面パネル側孔９とに連挿通されるボルト１０にナット１１を螺合して締め付けることにより、前記第一壁面パネルＷ１と前記第二壁面パネルＷ２とが連結される。【００１２】  更に、この実施形態の壁面パネル連結構造では、前記支持具７を断面略コ字状の型材で形成して、この型材の両側片部７ａで前記パネル取付基材５と突条部２及び折曲形成基部６とが挟持されものであり、この場合、断面略コ字状の支持具７の両側片部７ａを貫通するように第一壁面パネル側孔８を形成している。又、この実施形態の壁面パネル連結構造では、前記突条部２を折曲により断面略山型に形成し、前記凹溝４を同断面略山型と適合する断面略Ｖ字状に形成してもいる。【００１３】  以下、この実施形態の壁面パネル連結構造をより具体的詳細に説明する。まず、この実施形態の壁面パネル連結構造が適用されるバスルームユニットの概略を図３に基づき説明する。図３に示すバスルームユニットでは、浴槽１８側と出入口２０が設けられる洗い場１９側とに区別され、浴槽１８側の壁面に第一壁面パネルＷ１が、洗い場１９側の壁面に第二壁面パネルＷ２が、各々配設施工されている。すなわち、図中の二箇所のＳ部位では、第一、第二壁面パネルＷ１、Ｗ２を相互に連結させる必要があり、この実施形態の壁面パネル連結構造は、壁面のコーナー部でない平面部となる同Ｓ部位に施工されている。【００１４】  ここに、第一壁面パネルＷ１として代表的なものは、アルミ亜鉛鋼板等の金属板を基材として、その表面にＰＥＴ樹脂等の表面化粧層を形成し、裏面にベースフレームを一体形成し、基材の両側端部を折曲して、縦方向の突条部を形成したものが採用される。又、第二壁面パネルＷ２は、特殊なセメント板等を基材として、その表面にベースコート層及びトップコート層を形成して、裏面にはバックコート層を形成し、両側端部のバックコート層の裏に、補強や連結等のために、アルミニウムなどで成型された縦方向の中空角柱を溶接や接着で取り付けた構造のものが採用される。これ等の詳細構造は後記する。【００１５】  第一壁面パネルＷ１と第二壁面パネルＷ２とは、以上のような構造的差異があるが、その構造上の特徴から、第二壁面パネルＷ２は第一壁面パネルＷ１よりも厚肉に形成されているのが一般的である。すなわち、両壁面パネルＷ１、Ｗ２は、連結すべきパネル側端部の形状に大きな差異があるため、それぞれの側端部に合った形状の連結用部材を必要とするものである。この実施形態の壁面パネル連結構造は、図３中の上記平面部となるＳ部位に適用されるものであるが、他のコーナー部では同種の壁面パネルの連結となるため、これ等コーナー部には従来の連結構造が採用されている。【００１６】  図１に示す如く、第一壁面パネルＷ１は、板金加工等により成形されたベースフレーム１２に、上記のように化粧仕上げがなされた表面化粧板としての金属製のパネル材（基材）１を一体化して構成されている。パネル材１の側端部は、裏面側に直角に折り曲げられて折曲形成基部６とされ、更に、この折曲形成基部６が第一壁面パネルＷ１の他側端部側へ向くように略山形状（断面略山型）に折り返されて縦方向の突条部２とされている。ベースフレーム１２の上端部には天井パネル（図示せず）取付用の起立片１２ａが形成されている（図２参照）。【００１７】  第二壁面パネルＷ２は、上記のように表面化粧仕上げがなされたセメント板１３と、その側端部裏面に固着一体化されたアルミニウム等の押出或いは板金加工により成形された縦方向の中空角柱３とより構成されている。このように構造の異なる二種類の第一壁面パネルＷ１、第二壁面パネルＷ２は、壁面の平面部において、パネル取付基材５及び支持具７を介しボルト１０、ナット１１によって、図１に示すように連結される。以下、その連結の要領について詳述する。【００１８】  図１、２において、パネル取付基材５は中実角柱状の合成樹脂の押出材からなり、その一側面には長手方向に沿って上記突条部２を受容し得る断面略三角形状（断面略Ｖ字状）の凹溝４が形成されている。このパネル取付基材５は合成樹脂によるものに限らず金属製でもよく、金属製の場合は中空角柱状体が用いられる。支持具７は金属板の板金加工により製せられるもので、図２に示す如く、パネル取付基材５に対しその側部より嵌合し得るよう平行な両側片部７ａとこの両者を繋ぐ底片部７ｂとよりなる断面略コ字状の型材で形成されたものである。支持具７の底片部７ｂには同支持具７をビス１４（図１参照）によりパネル取付基材５に止着固定するためのビス孔１６が、同パネル取付基材５には下穴１７が、各々穿設されている。【００１９】  支持具７の両側片部７ａ及びパネル取付基材５には、両者を連貫通する第一壁面パネル側孔８が形成されている。この場合、図２に示す如く、支持具７の両側片部７ａの各々には浅い透孔８ａが穿設されており、パネル取付基材５にはこれを略水平に貫通する深い貫通孔８ｂが穿設されている。又、上記第二壁面パネルＷ２の中空角柱３は、断面略Ｃ型材の両端縁部３ｂを接合させて全体が断面略ロ字状に形成されており、その両側壁部３ａには第二壁面パネル側孔９が相互に貫通形成されている。【００２０】  連結に際しては、まず、支持具７をパネル取付基材５に対して半嵌合し、仮固定した状態とする。そして、この仮固定状態から、第一壁面パネルＷ１の突条部２をパネル取付基材５の凹溝４にあてがい、更に、支持具７を押し込むことにより、突条部２を凹溝４に��容すると共に折曲形成基部６とパネル取付基材５とを上記平行な両側片部７ａで挟装するように支持具７を嵌合させる。次いで、ビス１４をビス孔１６、下穴１７に挿入螺合してパネル取付基材５に止着させることによって、支持具７がパネル取付基材５に固定され、これによりパネル取付基材５が第一壁面パネルＷ１の側端部裏面に固着一体化化される。【００２１】  上記のように側端部の調製処理がなされた第一壁面パネルＷ１は、壁面の平面部において第二壁面パネルＷ２とボルト１０、ナット１１で連結される。上記第一壁面パネルＷ１及び第二壁面パネルＷ２は、図３に示すようなバスルームユニットの両平面部において、Ｓ部位に互いの側端部が近接するよう仮置きされる。そして、両壁面パネルＷ１、Ｗ２間において、ボルト１０を第一壁面パネル側孔８、第二壁面パネル側孔９に連挿通し、同ボルト１０にナット１１を螺合して締め付けることにより、同両壁面パネルＷ１、Ｗ２が連結される。最後に、図１に示す如く、両壁面パネルＷ１、Ｗ２間の表面側に湿式のコーキング材（目地材）１５を充填すれば、第一壁面パネルＷ１及び第二壁面パネルＷ２の連結施工仕上げが完了する。【００２２】  したがって、この実施形態の壁面パネル連結構造においては、第一壁面パネルＷ１と第二壁面パネルＷ２とが連結されるものであって、第一壁面パネルＷ１は折曲加工が可能な金属板のパネル材１でなり、側端部の裏面側に一体化された縦方向の中空角柱３を有する第二壁面パネルＷ２とは異なる種類のものであり、パネル取付基材５及び支持具７を介して異なる種類の同第一壁面パネルＷ１と第二壁面パネルＷ２とが簡単且つ確実に連結される。これにより、異なる種類の壁面パネルを用いてバスルームユニットを組立構築したいという要望に対し的確に応えることができ、設置場所に応じた壁面パネルの選択的使用によって、多様なバスルームユニットの組立構築を実現することができる。【００２３】  すなわち、凹溝４を突条部２に係合させ相互に位置決めしてパネル取付基材５を第一壁面パネルＷ１の側端部裏面に添設させることができ、このパネル取付基材５と突条部２及びこれを折曲形成するためにパネル材１を裏面側へ略直角に折り曲げた折曲形成基部６とに支持具７を挟装させてやると、これ等が容易に一体化される。そして、支持具７及びパネル取付基材５には第一壁面パネル側孔８が連貫通されており、前記中空角柱３には第二壁面パネル側孔９が貫通形成されているので、同第一壁面パネル側孔８と第二壁面パネル側孔９とにボルト１０を連挿通させ、このボルト１０にナット１１を螺合して締め付けることによって、異なる種類の第一壁面パネルＷ１と第二壁面パネルＷ２とを簡単且つ確実に連結することができる。【００２４】  又、この実施形態の壁面パネル連結構造においては、支持具７が断面略コ字状の型材で形成されて、この型材の両側片部７ａでパネル取付基材５と突条部２及び折曲形成基部６とが挟持されるので、第一壁面パネルＷ１側で予め側端部の調製処理として同支持具７、パネル取付基材５等が強固に挟着一体化される。しかも、この場合、支持具７の両側片部７ａを貫通するように第一壁面パネル側孔８（両透孔８ａ）が形成されるので、パネル取付基材５側の第一壁面パネル側孔８（貫通孔８ｂ）と同両透孔８ａとにボルト１０が連挿通されて、第一壁面パネルＷ１のパネル材１に対し、支持具７、パネル取付基材５等が長手方向でもずれ動かないよう確実に一体化される。【００２５】  又、この実施形態の壁面パネル連結構造においては、突条部２が折曲により断面略山型に形成され、凹溝４が同断面略山型と適合する断面略Ｖ字状に形成されているので、両者は相互間で容易且つ正確に位置決めされて係合される。なお、この実施形態の壁面パネル連結構造においては、第一壁面パネルＷ１及び第二壁面パネルＷ２として、基材が金属板で形成されたもの及び基材がセメント板等の非金属材料で形成されたものを例示したが、本願発明ではこれ等に限定されず、その他の互いに異なる種類の壁面パネル同士の連結にも本願発明が適用可能であることは当然である。
【図面の簡単な説明】
【００２６】
【図１】  本願発明の一実施形態である壁面パネル連結構造の要部を示す横断面図。
【図２】  同壁面パネル連結構造の要部を示す分解斜視図。
【図３】  同壁面パネル連結構造が実施されたバスルームユニットを示す概略平面図。
【図４】  従来例である（ａ）（ｂ）各々異なる壁面パネル連結構造の要部を示す分解斜視図。
【符号の説明】
【００２７】  １  パネル材
２  突条部
３  中空角柱
４  凹溝
５  パネル取付基材
６  折曲形成基部
７  支持具
７ａ  側片部
８  第一壁面パネル側孔
９  第二壁面パネル側孔
１０  ボルト
１１  ナット
Ｗ１  第一壁面パネル
Ｗ２  第二壁面パネル
【図１】
2006299775.tif 000003
【図２】
2006299775.tif 000004
【図３】
2006299775.tif 000005
【図４】
2006299775.tif 000006